(57)【要約】【課題】荷扱い中の落下や使用中の振動に対しても安定して動作させることができるとともに、使用部品を低減し資源的にも有利で、性能、品質的にも優れた食器洗い機を提供することを目的とする。【解決手段】洗浄槽８に洗浄水を給排水するポンプユニット１９と、洗浄槽８の下方からポンプユニット１９を覆うカバー２０とを備え、カバー２０を洗浄槽８に下方から固着するとともに、ポンプユニット１９は、上部を洗浄槽８の背面あるいは底面にて保持し、下部をカバー２０にて保持する構成としたもので、荷扱い中の落下や使用中の振動に対するポンプユニット１９の振れが低減されることから、打痕防止ようの部品が不要となり資源的に有利なものとなるとともに、ポンプユニット１９の排水口１９ｆの位置の変化も低減されることから、残水量も変化することなく性能的にも優れたものとなる。【選択図】図１
2006262922.tif 000002
【特許請求の範囲】
【請求項１】
本体内に収納されて食器類を洗浄する洗浄槽と、前記洗浄槽に洗浄水を給排水するポンプユニットと、前記洗浄槽の下方から前記ポンプユニットを覆うカバーとを備え、前記カバーを前記洗浄槽に下方から固着するとともに、前記ポンプユニットは、上部を前記洗浄槽の背面あるいは底面にて保持し、下部を前記カバーにて保持する構成とした食器洗い機。
【請求項２】
洗浄槽を本体に対し引き出し可能に保持し、前記洗浄槽を前記本体から引き出した時に、ポンプユニットのカバーへの保持位置が、前記本体の前面より前方に位置する構成とした請求項１記載の食器洗い機。
【請求項３】
洗浄槽を本体に対し引き出し可能に保持するとともに、前記本体の底面に内方に凸となる凸部を形成し、前記洗浄槽を前記本体に収納した時に、前記凸部は、ポンプユニットのカバーへの保持位置で前記カバーを支持する構成とした請求項１または２記載の食器洗い機。
【発明の詳細な説明】
【技術分野】
【０００１】
本発明は、食器洗い機に関するもので、特に荷扱い等で発生する振動および衝撃に対する性能改善に関するものである。
【背景技術】
【０００２】
従来の食器洗い機について図１０および図１１を用いて説明する。図１０は従来の食器洗い機の側断面図、図１１は同食器洗い機の要部拡大図である。なお、図中、一部のホースは図示省略している。
【０００３】
図１０および図１１において、食器洗い機１の本体２の底面３の後部と設置面４との間に、吸盤５を有する保持装置６を設け、吸盤５を設置面４上に吸着させて食器洗い機１を安定に設置する構成とされている。また、この従来の食器洗い機では、ポンプユニット７は洗浄槽８の背面８ａまたは底面８ｂに保持されるのみとなっていた（例えば、特許文献１参照）。
【０００４】
なお、ここに示した従来の食器洗い機１は、引き出し式の食器洗い機で、洗浄槽８は上面に開口を有し、レール等の可動保持手段（図示省略）によって本体２に対し前後方向に引き出し収納可能に保持されている。
【特許文献１】特開２００１−１０４２３３号公報
【発明の開示】
【発明が解決しようとする課題】
【０００５】
しかしながら、前記従来の食器洗い機１の構成では、ポンプユニット７は、洗浄槽８の背面８ａまたは底面８ｂにネジ９などで片持ち状態で保持されるのみであったため、荷扱い中の落下や振動でポンプユニット７が大きく振れ、後フタ１０に打痕が付く恐れがあるという課題があり、またその対策として、後フタ１０内にゴム１１を貼り付けたりする必要があり、部品を多く使用して資源的に不利なものとなっていた。また、後フタ１０とポンプユニット７の距離を大きくする方法もあるが、食洗洗い機１の外形が大きくなるといった課題があった。
【０００６】
また、洗浄槽８の背面８ａや底面８ｂあるいはポンプユニット７を構成するポンプホルダー７ａが変形して、ポンプユニット７が傾き、ポンプユニット７に備えられた排水口７ｂの位置が変化して洗浄水の循環が悪くなり、洗浄槽８内の残水が増し、残水内の汚れも増加して食器類１２へ汚れが再付着し、十分な洗浄性能が得られなくなる恐れがあるといった課題を有していた。なお、図１１中、ポンプユニット７の振れ状態を２点鎖線で示し、Ｘは、その際の排水口７ｂの位置変化量を示している。
【０００７】
さらに、従来、ポンプユニット７の下方に配置されるカバー１３は、洗浄槽８の底面８ｂにネジ１４により保持されているのみで、洗浄槽８より後方に配置されるポンプユニット７やホース１５を覆う部位を保持する手段は無かった。したがって、カバー１３の後端部１３ａは、ヒーター１６に通電する加熱すすぎ時の熱変形により垂れ下がり、洗浄槽８を本体２から引き出した時に、カバー後端部１３ａが本体２に触れて異常音が発生するといった課題も有していた。図１１中、２点鎖線でカバー１３の加熱すすぎ時の熱による変形状態を示している。
【０００８】
本発明は、前記従来の課題を解決するもので、荷扱い中の落下や使用中の振動に対しても安定して動作させることができるとともに、使用部品を低減し資源的にも有利で、性能、品質的にも優れた食器洗い機を提供することを目的とする。
【課題を解決するための手段】
【０００９】
前記従来の課題を解決するために、本体内に収納されて食器類を洗浄する洗浄槽と、前記洗浄槽に洗浄水を給排水するポンプユニットと、前記洗浄槽の下方から前記ポンプユニットを覆うカバーとを備え、前記カバーを前記洗浄槽に下方から固着するとともに、前記ポンプユニットは、上部を前記洗浄槽の背面あるいは底面にて保持し、下部を前記カバーにて保持する構成としたもので、荷扱い時に食器洗い機が落下や振動にあっても、モーターを有するポンプユニットは、上部は洗浄槽背面か底面にて保持され、下部はカバーにて保持されており、両持ち状態であることから、ポンプユニットの振れを低減し、後フタに打痕が発生するのを防止することができるので、打痕防止のゴムなどの部品が不要となり、効率的で資源的に有利なだけでなく、ポンプユニットが傾いて排水口位置が変化し、洗浄槽内の残水が増して、洗浄性能が悪化するといった恐れもなくなる。さらに、カバーの後端部近くがポンプユニットで保持されていることから、カバーの熱変形が防止でき、本体と擦れて異常音が発生するといった恐れも無くなる。
【発明の効果】
【００１０】
本発明の食器洗い機は、荷扱い中の落下や使用中の振動があっても、モーターを有するポンプユニットは、上部は洗浄槽背面か底面にて保持され、下部はカバーにて保持されていることから、ポンプユニットの振れを低減させることができるので、後フタに打痕が発生するのを防止することができ、打痕防止のための余分な部品が不要となり資源的に有利なだけでなく、落下による衝撃で片持ち部の洗浄槽背面あるいは底面などが変形し、ポンプユニットが傾いて排水口位置が変化し、洗浄槽内の残水が増して、洗浄性能が悪化するといった恐れも解消することができる。
【発明を実施するための最良の形態】
【００１１】
第１の発明は、本体内に収納されて食器類を洗浄する洗浄槽と、前記洗浄槽に洗浄水を給排水するポンプユニットと、前記洗浄槽の下方から前記ポンプユニットを覆うカバーとを備え、前記カバーを前記洗浄槽に下方から固着するとともに、前記ポンプユニットは、上部を前記洗浄槽の背面あるいは底面にて保持し、下部を前記カバーにて保持する構成としたもので、本発明の食器洗い機が荷扱い中に落下や振動にあっても、モーターを有するポンプユニットは、上部は洗浄槽背面か底面にて保持され、下部はカバーにて保持されていることから、両持ち状態となりポンプユニットの振れは低減し、ゴムなどの部品を使用しなくても後フタに打痕が発生するのを防止することができ、効率的で資源的に有利なだけでなく、ポンプユニットが傾いて排水口位置も変化し、洗浄槽内の残水が増し、残水内の汚れも増え、洗浄中に汚れが食器類に再付着し、洗浄性能が悪化するといった恐れを解消することができる。さらに、カバーの後端部近くがポンプユニットで保持されることから、カバーの熱変形が防止でき、本体と擦れて異常音を発生させるといった恐れも無くなる。
【００１２】
第２の発明は、第１の発明において、洗浄槽を本体に対し引き出し可能に保持し、前記洗浄槽を前記本体から引き出した時に、ポンプユニットのカバーへの保持位置が、前記本体の前面より前方に位置する構成としたもので、カバーの全ての保持が、洗浄槽を本体から引き出した時に本体前面より前方に配置することになり、洗浄槽を本体から引き出して、下からネジ等の保持手段を外すことによりカバーを洗浄槽やポンプユニットから容易に取り外すことができ、サービス性が優れたものとなる。
【００１３】
第３の発明は、第１または第２の発明で、洗浄槽を本体に対し引き出し可能に保持するとともに、前記本体の底面に内方に凸となる凸部を形成し、前記洗浄槽を前記本体に収納した時に、前記凸部は、ポンプユニットのカバーへの保持位置で前記カバーを支持する構成としたもので、食器洗い機が下方に落下された場合、ポンプケーシングとカバーの保持部が本体底面に内方に凸となるよう形成された凸部で支えられて、ポンプユニットやカバーの下方への変形が低減されることから、ポンプユニットの位置が変化して、洗浄性能が変化したり、カバーが本体と擦れるといった恐れを解消することができる。
【００１４】
以下、本発明の実施の形態について、図面を参照しながら説明する。なお、この実施の形態によって本発明が限定されるものではない。
【００１５】
（実施の形態１）
図１は本発明の第１の実施の形態における食器洗い機の側断面図、図２は同食器洗い機の背面図、図３は同食器洗い機のポンプユニットの側面図、図４は同食器洗い機のカバーの平面図、図５は同食器洗い機の図４におけるＡ−Ａ断面図である。なお、従来例と同じ構成のものは、同一符号を付けてその説明を省略する。また、図中一部のホースは図示省略している。
【００１６】
図１〜図５において、食器洗い機１７は、流し台１８内設けられたスペースに収納され、本体２１と、レール等の可動保持手段（図示省略）によって本体２１に対し前後方向に引き出し収納可能に保持され、洗浄する食器類１２を収容する洗浄槽８と、洗浄槽８に洗浄水を給排水するポンプユニット１９と、洗浄槽８の下方に設けられ、ポンプユニット１９を覆うカバー２０と、本体２１の後部を覆う後フタ１０とで構成されている。
【００１７】
ポンプユニット１９は、モーター１９ａ、ポンプホルダー１９ｂやポンプケーシング１９ｃなどで構成され、ポンプホルダー１９ｂにはポンプユニット１９を洗浄槽８に保持するための孔１９ｄが設けられ、ポンプケーシング１９ｃには、その底面より下方に突出させて孔１９ｅを有する突出部が設けられている。
【００１８】
カバー２０は平板状をしており、その中央および前方には複数の孔２０ｂが形成され、孔２０ｂを貫通したネジ１４を洗浄槽８の底面８ｂに形成された孔８ｃにねじ込み、カバー２０を洗浄槽８に固定し保持する。また、カバー２０の最後部近傍には、孔２０ａが形成され、この孔２０ａを貫通したネジ２２をポンプケーシング１９ｃに設けられた孔１９ｅにねじ込み、ポンプケーシング１９ｃとカバー２０とが締結保持される。ポンプユニット１９の上部は、ポンプホルダー１９ｂに設けられた孔１９ｄを貫通したネジ９が、洗浄槽８の背面８ａに形成された孔８ｄにねじ込まれ、ポンプユニット１９は洗浄槽８に固定保持される。
【００１９】
以上のように構成された食器洗い機１７について、以下その動作、作用について説明する。本発明による食器洗い機も、使用中の動作、作用は、従来の食器洗い機と同じく、よく知られたもので、食器洗い機１７の洗浄槽８内に食器類１２を収納し、制御部２３で洗浄コースなどを設定して運転を開始すれば、ポンプユニット１９が作動し、食器類１２の洗浄を行う。
【００２０】
次に、荷扱い中の落下や使用中の振動があった場合の動作、作用について説明する。食器洗い機１７が荷扱い中に落下された場合、モーター１９ａを有するポンプユニット１９は約３Ｋｇ（本実施の形態の場合）と重いために、従来例にみられたように大きな衝撃が与えられることになるが、本実施の形態においては、ポンプユニット１９の上方を洗浄槽８の背面８ａにネジ１４によって保持するとともに、ポンプユニット１９の下部をネジ２２によってカバー２０に保持し、ポンプユニット１９を上下にて両持ち支持状態で保持する構成としたことにより、ポンプユニット１９の振れは低減され、ゴムなどの部品を使用しなくても後フタ１０に打痕が発生するのを防止することができ、効率的かつ資源的に有利な食器洗い機１７を実現することができる。
【００２１】
また、ポンプユニット１９の振れが低減され、ポンプケーシング１９ｃに形成された排水口１９ｆの位置もほとんど変化しないことから、洗浄槽８内の残水が増して、洗浄性能が悪化するといった恐れも解消することができる。
【００２２】
さらに、洗浄動作中の加熱すすぎにおいては、ヒーター１６に通電され、洗浄槽８に固定されたカバー２０なども高温になるが、カバー２０の後端部２０ｃ近くがポンプケーシング１９ｃで保持されていることから、カバー２０の熱変形が防止でき、洗浄槽８を本体２１から前方に引き出す際にカバー２０が本体２１と擦れて異常音が発生するといった恐れも無くなる。
【００２３】
本実施の形態では、洗浄槽の背面８ａにポンプホルダー１９ｂを保持しているが、底面８ｂにポンプホルダー１９ｂを保持しても同じ効果が得られることはいうまでもない。
【００２４】
また、荷扱い中の落下による衝撃ほどではないが、使用中にもモーター１９ａやポンプから振動が発生するが、その振動に起因するポンプユニット１９の振れに対しても、落下衝撃に対すると同様の効果が得られる。
【００２５】
（実施の形態２）
図６は、本発明の第２の実施の形態における食器洗い機の側断面図、図７は同食器洗い機の要部拡大図である。なお、上記第１の実施の形態と同一部分については同一符号を付してその説明を省略する。本実施の形態は、図６および図７に示すように、ポンプケーシング２４ｃとカバー２５の固定、保持位置を、洗浄槽８を本体２１から引き出した時に、本体前面２１ａより前方に位置する構成としたもので、カバー２５の全ての固定、保持位置を、洗浄槽８を本体２１から引き出した時に本体前面２１ａより前方に位置させている。
【００２６】
すなわち、カバー２５には、中央付近と前方には孔２５ｂが設けられ、カバー２５の最後部近傍には、孔２５ａが設けられている。孔２５ｂに対応する部位の洗浄槽８の底面８ｂには孔８ｃが設けられ、ネジ１４を介してカバー２５を洗浄槽８に保持することができ、カバー２５の後方は、孔２５ａに対応する部位のポンプケーシング２４ｃに孔２４ｅが設けられ、ネジ２２を介してポンプケーシング２４ｃに保持することができ、カバー２５後方の保持位置も、洗浄槽８を本体２１から引き出した時に、本体前面２１ａより前方に配置する構成としたことにより、洗浄槽８を引き出して、ネジ１４およびネジ２２を外すことにより、カバー２５を洗浄槽８およびポンプユニット２４から容易に取り外すことができ、サービス性にも優れたものとなる。
【００２７】
（実施の形態３）
図８は、本発明の第３の実施の形態における食器洗い機の側断面図、図９は同食器洗い機の本体の平面図である。なお上記第１の実施の形態と同一部分については、同一符号を付してその説明を省略する。
【００２８】
本実施の形態は、図８および図９に示すように、ポンプケーシング２７ｃとカバー２８の保持部２８ａの本体底面２９ｂに内方に凸となる形状の凸部２９ｃを形成する構成としたものである。
【００２９】
以上のように構成された食器洗い機３０について、その動作、作用を説明すると、本発明の食器洗い機３０が下方に落下された場合、ポンプケーシング２７ｃとカバー２８の保持部２８ａが本体底面２９ｂに内方に凸となるよう形成された凸部２９ｃで支えられて、ポンプユニット２７やカバー２８の下方への変形が低減されることから、ポンプユニット２７の位置が変化して、洗浄性能が悪化したり、洗浄槽３１やポンプホルダー２７ａが変形して、カバー２８が本体２９と擦れて異常音がするといった恐れを解消することができる。例え、カバー２８の保持部２８ａと凸部２９ｃとが接触しても、その範囲は洗浄槽の引き出し初期および収納し終わる時に限定されることから、異常音の発生はさほど気にならない。
【産業上の利用可能性】
【００３０】
以上のように、本発明にかかる食器洗い機は、荷扱い中の落下や使用中の振動に対しても安定して動作させることができるとともに、使用部品を低減し資源的にも有利で、性能、品質的にも優れたものとすることができるので、ポンプユニットで洗浄水を循環させて食器類の洗浄を行う形式の食器洗い機等として有用である。
【図面の簡単な説明】
【００３１】
【図１】本発明の第１の実施の形態における食器洗い機の側断面図
【図２】同食器洗い機の背面図
【図３】同食器洗い機のポンプユニットの側面図
【図４】同食器洗い機のカバーの平面図
【図５】同食器洗い機のカバーの図４におけるＡ−Ａ断面図
【図６】本発明の第２の実施の形態における食器洗い機の側断面図
【図７】同食器洗い機を示す要部拡大図
【図８】本発明の第３の実施の形態における食器洗い機の側断面図
【図９】同食器洗い機の本体の平面図
【図１０】従来の食器洗い機の側断面図
【図１１】同食器洗い機の要部拡大図
【符号の説明】
【００３２】
８    洗浄槽
８ａ  背面
８ｂ  底面
８ｃ、８ｄ  孔
１９、２４、２７  ポンプユニット
１９ａ  モーター
１９ｂ、２７ａ    ポンプホルダー
１９ｃ、２４ｃ、２７ｃ  ポンプケーシング
１９ｄ、１９ｅ、２４ｅ  孔
２０、２５、２８  カバー
２０ａ、２０ｂ、２５ａ、２５ｂ  孔
２０ｃ  後端部
２８ａ  保持部
２１、２９  本体
２１ａ  前面
２９ｂ  底面
２９ｃ  凸部
【図１】
2006262922.tif 000003
【図２】
2006262922.tif 000004
【図３】
2006262922.tif 000005
【図４】
2006262922.tif 000006
【図５】
2006262922.tif 000007
【図６】
2006262922.tif 000008
【図７】
2006262922.tif 000009
【図８】
2006262922.tif 000010
【図９】
2006262922.tif 000011
【図１０】
2006262922.tif 000012
【図１１】
2006262922.tif 000013